(57)【要約】【課題】画素に映像信号として電流信号を供給する表示装置において、低階調画像を表示した場合に表示ムラが発生する。【解決手段】画素ＰＸは、制御端子と電源端子ＮＤps１に接続された第１端子とそれらの間の電圧に対応した大きさの駆動電流を出力する第２端子とを含んだ駆動制御素子ＤＲと、表示素子ＯＬＥＤと、第２端子と電源端子ＮＤps２との間で表示素子ＯＬＥＤと直列に接続されたスイッチＳＷａと、第２端子と制御端子と映像信号線ＤＬとの接続をそれらが互いに接続された状態とそれらが互いから切断された状態との間で切り替え可能なスイッチ群ＳＷｂ，ＳＷｃと、一方の電極が制御端子に接続されたキャパシタＣと、キャパシタＣの他方の電極と定電位端子ＮＤcp１との間に接続されたスイッチＳＷｅと、キャパシタＣの他方の電極と定電位端子ＮＤcp２との間に接続されたスイッチＳＷｄとを具備する。【選択図】      図２
2007233287.tif 000002
【特許請求の範囲】
【請求項１】
マトリクス状に配列した複数の画素と、前記複数の画素が形成する列に対応して配列した複数の映像信号線とを具備し、前記複数の画素の各々は、
制御端子と、第１電源端子に接続された第１端子と、それらの間の電圧に対応した大きさの駆動電流を出力する第２端子とを含んだ駆動制御素子と、
表示素子と、
前記第２端子と第２電源端子との間で前記表示素子と直列に接続された出力制御スイッチと、
前記第２端子と前記制御端子と前記映像信号線との接続をそれらが互いに接続された第１状態とそれらが互いから切断された第２状態との間で切り替え可能なスイッチ群と、
一方の電極が前記制御端子に接続されたキャパシタと、
前記キャパシタの他方の電極と第１定電位端子との間に接続された第１電位シフトスイッチと、
前記キャパシタの前記他方の電極と前記第１定電位端子とは異なる電位に設定可能な第２定電位端子との間に接続された第２電位シフトスイッチとを具備したことを特徴とする表示装置。
【請求項２】
定電位線をさらに具備し、前記第１定電位端子は前記第１電源端子に接続され、前記第２定電位端子は前記定電位線に接続されたことを特徴とする請求項１に記載の表示装置。
【請求項３】
前記スイッチ群は、前記第２端子と前記映像信号線との間に接続された選択用スイッチと、前記第２端子と前記制御端子との間に接続されたダイオード接続スイッチとを含んだことを特徴とする請求項１に記載の表示装置。
【請求項４】
前記発光素子は有機ＥＬ素子であることを特徴とする請求項１に記載の表示装置。
【請求項５】
マトリクス状に配列した複数の画素回路と、前記複数の画素回路が形成する列に対応して配列した複数の映像信号線とを具備し、前記複数の画素回路の各々は、
制御端子と、電源端子に接続された第１端子と、それらの間の電圧に対応した大きさの駆動電流を出力する第２端子とを含んだ駆動制御素子と、
画素電極と、
前記第２端子と前記画素電極との間に接続された出力制御スイッチと、
前記第２端子と前記制御端子と前記映像信号線との接続をそれらが互いに接続された第１状態とそれらが互いから切断された第２状態との間で切り替え可能なスイッチ群と、
一方の電極が前記制御端子に接続されたキャパシタと、
前記キャパシタの他方の電極と第１定電位端子との間に接続された第１電位シフトスイッチと、
前記キャパシタの前記他方の電極と前記第１定電位端子とは異なる電位に設定可能な第２定電位端子との間に接続された第２電位シフトスイッチとを具備したことを特徴とするアレイ基板。
【請求項６】
請求項１に記載の表示装置を駆動する方法であって、
前記複数の画素を行毎に順次選択し、選択した行が含む複数の画素の各々では書込動作を実施し、非選択の行が含む複数の画素の各々では表示動作を実施し、
前記書込動作は、前記出力制御スイッチ及び前記第１電位シフトスイッチを開くと共に前記第２電位シフトスイッチを閉じ且つ前記スイッチ群を前記第１状態としている間に前記第１電源端子と前記映像信号線との間に電流信号としての映像信号を流し、その後、前記スイッチ群を前記第１状態から前記第２状態へと切り替え、これと同時又はその後に前記第２電位シフトスイッチを開き、その後、前記第１電位シフトスイッチを閉じることを含み、
前記表示動作は、前記第１電位シフトスイッチを閉じると共に前記第２電位シフトスイッチを開き且つ前記スイッチ群を前記第２状態としている間に前記出力制御スイッチを閉じて、前記表示素子に前記駆動電流を流すことを含み、
前記駆動制御素子が前記制御端子と前記第１端子との電位差をより小さくすることにより前記駆動電流の大きさをより大きくする場合には前記第１定電位端子の電位を前記第２定電位端子の電位と比較してより高くし、前記駆動制御素子が前記制御端子と前記第１端子との電位差をより大きくすることにより前記駆動電流の大きさをより大きくする場合には前記第１定電位端子の電位を前記第２定電位端子の電位と比較してより低くすることを特徴とする駆動方法。
【発明の詳細な説明】
【技術分野】
【０００１】
本発明は、表示装置、アレイ基板、及び表示装置の駆動方法に関する。
【背景技術】
【０００２】
有機エレクトロルミネッセンス（ＥＬ）表示装置のように発光素子の光学特性をそれに流す駆動電流によって制御する表示装置では、駆動電流がばらつくと、輝度むら等の画質不良が生じる。それゆえ、そのような表示装置でアクティブマトリクス駆動方式を採用した場合には、駆動電流の大きさを制御する駆動制御素子の特性が各画素間でほぼ同一であることが要求される。しかしながら、この表示装置では、通常、駆動制御素子をガラス基板などの絶縁体上に形成するため、その特性にばらつきを生じ易い。
【０００３】
以下の特許文献１には、画素回路がカレントミラー回路を含んだ有機ＥＬ表示装置が記載されている。
【０００４】
この画素回路は、駆動制御素子であるｎチャネル電界効果トランジスタと、有機ＥＬ素子と、キャパシタとを含んでいる。ｎチャネル電界効果トランジスタのソースは低電位の電源線に接続されており、キャパシタはｎチャネル電界効果トランジスタのゲートと先の電源線との間に接続されている。また、有機ＥＬ素子の陽極は、より高電位の電源線に接続されている。
【０００５】
この画素回路は、以下の方法で駆動する。  
まず、ｎチャネル電界効果トランジスタのドレインとゲートとを接続し、この状態でｎチャネル電界効果トランジスタのドレイン−ソース間に映像信号に対応した大きさの電流Ｉsigを流す。この動作により、キャパシタの両電極間の電圧は、ｎチャネル電界効果トランジスタのチャネルに電流Ｉsigを流すのに必要なゲート−ソース間電圧に設定される。
【０００６】
次に、ｎチャネル電界効果トランジスタのドレインとゲートとの接続を断ち、キャパシタの両電極間の電圧を保持する。続いて、ｎチャネル電界効果トランジスタのドレインを有機ＥＬ素子の陰極に接続する。これにより、有機ＥＬ素子には、先の電流Ｉsigとほぼ等しい大きさの駆動電流Ｉdrvが流れる。有機ＥＬ素子は、この駆動電流Ｉdrvの大きさに対応した輝度で発光する。
【０００７】
このように、上記の構成を採用すると、書込期間において映像信号として供給した電流Ｉsigとほぼ等しい大きさの駆動電流Ｉdrvを、書込期間に続く表示期間においてもｎチャネル電界効果トランジスタのドレインとソースとの間に流すことができる。それゆえ、ｎチャネル電界効果トランジスタの閾値Ｖthだけでなく移動度や寸法などが駆動電流Ｉdrvに与える影響も排除することができる。
【０００８】
しかしながら、上記の表示装置には、小さな駆動電流Ｉdrvに対応した映像信号Ｉsigの書き込みが難しいという問題がある。そのため、この表示装置では、低階調画像を表示した場合に表示ムラが発生し易い。
【特許文献１】米国特許第６３７３４５４号明細書
【発明の開示】
【発明が解決しようとする課題】
【０００９】
本発明の目的は、画素に映像信号として電流信号を供給する表示装置において、低階調画像を表示した場合に表示ムラが発生するのを防止することにある。
【課題を解決するための手段】
【００１０】
本発明の第１側面によると、マトリクス状に配列した複数の画素と、前記複数の画素が形成する列に対応して配列した複数の映像信号線とを具備し、前記複数の画素の各々は、制御端子と、第１電源端子に接続された第１端子と、それらの間の電圧に対応した大きさの駆動電流を出力する第２端子とを含んだ駆動制御素子と、表示素子と、前記第２端子と第２電源端子との間で前記表示素子と直列に接続された出力制御スイッチと、前記第２端子と前記制御端子と前記映像信号線との接続をそれらが互いに接続された第１状態とそれらが互いから切断された第２状態との間で切り替え可能なスイッチ群と、一方の電極が前記制御端子に接続されたキャパシタと、前記キャパシタの他方の電極と第１定電位端子との間に接続された第１電位シフトスイッチと、前記キャパシタの前記他方の電極と前記第１定電位端子とは異なる電位に設定可能な第２定電位端子との間に接続された第２電位シフトスイッチとを具備したことを特徴とする表示装置が提供される。
【００１１】
本発明の第２側面によると、マトリクス状に配列した複数の画素回路と、前記複数の画素回路が形成する列に対応して配列した複数の映像信号線とを具備し、前記複数の画素回路の各々は、制御端子と、電源端子に接続された第１端子と、それらの間の電圧に対応した大きさの駆動電流を出力する第２端子とを含んだ駆動制御素子と、画素電極と、前記第２端子と前記画素電極との間に接続された出力制御スイッチと、前記第２端子と前記制御端子と前記映像信号線との接続をそれらが互いに接続された第１状態とそれらが互いから切断された第２状態との間で切り替え可能なスイッチ群と、一方の電極が前記制御端子に接続されたキャパシタと、前記キャパシタの他方の電極と第１定電位端子との間に接続された第１電位シフトスイッチと、前記キャパシタの前記他方の電極と前記第１定電位端子とは異なる電位に設定可能な第２定電位端子との間に接続された第２電位シフトスイッチとを具備したことを特徴とするアレイ基板が提供される。
【００１２】
本発明の第３側面によると、第１側面に係る表示装置を駆動する方法であって、前記複数の画素を行毎に順次選択し、選択した行が含む複数の画素の各々では書込動作を実施し、非選択の行が含む複数の画素の各々では表示動作を実施し、前記書込動作は、前記出力制御スイッチ及び前記第１電位シフトスイッチを開くと共に前記第２電位シフトスイッチを閉じ且つ前記スイッチ群を前記第１状態としている間に前記第１電源端子と前記映像信号線との間に電流信号としての映像信号を流し、その後、前記スイッチ群を前記第１状態から前記第２状態へと切り替え、これと同時又はその後に前記第２電位シフトスイッチを開き、その後、前記第１電位シフトスイッチを閉じることを含み、前記表示動作は、前記第１電位シフトスイッチを閉じると共に前記第２電位シフトスイッチを開き且つ前記スイッチ群を前記第２状態としている間に前記出力制御スイッチを閉じて、前記表示素子に前記駆動電流を流すことを含み、前記駆動制御素子が前記制御端子と前記第１端子との電位差をより小さくすることにより前記駆動電流の大きさをより大きくする場合には前記第１定電位端子の電位を前記第２定電位端子の電位と比較してより高くし、前記駆動制御素子が前記制御端子と前記第１端子との電位差をより大きくすることにより前記駆動電流の大きさをより大きくする場合には前記第１定電位端子の電位を前記第２定電位端子の電位と比較してより低くすることを特徴とする駆動方法が提供される。
【発明の効果】
【００１３】
本発明によると、画素に映像信号として電流信号を供給する表示装置において、低階調画像を表示した場合に表示ムラが発生するのを防止することが可能となる。
【発明を実施するための最良の形態】
【００１４】
以下、本発明の態様について、図面を参照しながら詳細に説明する。なお、各図において、同様又は類似した機能を発揮する構成要素には同一の参照符号を付し、重複する説明は省略する。
【００１５】
図１は、本発明の一態様に係る表示装置を概略的に示す平面図である。図２は、図１の表示装置が含む画素の等価回路図である。
【００１６】
この表示装置は、アクティブマトリクス型駆動方式を採用した表示装置である。この表示装置は、表示パネルＤＰと、映像信号線ドライバＸＤＲと、走査信号線ドライバＹＤＲと、図示しないコントローラとを含んでいる。
【００１７】
表示パネルＤＰは、例えば、ガラス基板などの絶縁基板ＳＵＢを含んでいる。絶縁基板ＳＵＢ上では、画素ＰＸがマトリクス状に配列している。各画素ＰＸの構成については、後で説明する。
【００１８】
絶縁基板ＳＵＢ上には、さらに、映像信号線ＤＬと、走査信号線ＳＬ１乃至ＳＬ３と、電源線ＰＳＬと、定電位線ＣＰＬとが配置されている。
【００１９】
映像信号線ＤＬは、各々が画素ＰＸが形成する列に沿ったＹ方向に延びており、画素ＰＸが形成する行に沿ったＸ方向に及びこれら行に対応して配列している。映像信号線ＤＬは、映像信号線ドライバＸＤＲに接続されている。
【００２０】
走査信号線ＳＬ１は、各々がＸ方向に延びており、画素ＰＸが形成する行に対応してＹ方向に配列している。走査信号線ＳＬ２は、各々がＸ方向に延びており、画素ＰＸが形成する行に対応してＹ方向に配列している。走査信号線ＳＬ３は、各々がＸ方向に延びており、画素ＰＸが形成する行に対応してＹ方向に配列している。走査信号線ＳＬ１乃至ＳＬ３は、走査信号線ドライバＹＤＲに接続されている。
【００２１】
電源線ＰＳＬは、画素ＰＸに電力を供給する。電源線ＰＳＬの配置は任意であり、例えば、画素ＰＸが形成する列に対応して配置するか、又は、画素ＰＸが形成する行に対応して配置することができる。前者の場合、電源線ＰＳＬは、映像信号線ドライバＸＤＲに接続してもよい。後者の場合、電源線ＰＳＬは、走査信号線ドライバＹＤＲに接続してもよい。本態様では、電源線ＰＳＬは、画素ＰＸが形成する列に対応して配置し、映像信号線ドライバＸＤＲに接続することとする。
【００２２】
定電位線ＣＰＬは、画素ＰＸに定電位を供給する。定電位線ＣＰＬの配置は任意であり、例えば、画素ＰＸが形成する行に対応して配置するか、又は、画素ＰＸが形成する列に対応して配置することができる。前者の場合、定電位線ＣＰＬは、映像信号線ドライバＸＤＲに接続してもよい。後者の場合、定電位線ＣＰＬは、走査信号線ドライバＹＤＲに接続してもよい。本態様では、定電位線ＣＰＬは、画素ＰＸが形成する行に対応して配置し、走査信号線ドライバＹＤＲに接続している。
【００２３】
各画素ＰＸは、駆動制御素子ＤＲと、発光素子ＯＬＥＤと、出力制御スイッチＳＷａと、選択用スイッチＳＷｂと、ダイオード接続スイッチＳＷｃと、キャパシタＣと、第１電位シフトスイッチＳＷｅと、第２電位シフトスイッチＳＷｄとを含んでいる。
【００２４】
駆動制御素子ＤＲは、制御端子と、第１電源端子ＮＤps１に接続された第１端子と、それらの間の電圧に対応した大きさの駆動電流を出力する第２端子とを含んでいる。駆動制御素子ＤＲは、電界効果トランジスタなどのトランジスタを１つ又は複数含んでいる。本態様では、駆動制御素子ＤＲとしてｐチャネル薄膜トランジスタを使用しており、そのソースは電源端子ＮＤps１に接続している。
【００２５】
発光素子ＯＬＥＤは、例えば、有機ＥＬ素子、無機ＥＬ素子、発光ダイオードである。本態様では、発光素子ＯＬＥＤとして、画素電極と対向電極とそれらの間に介在した活性層とを含んだ有機ＥＬ素子を使用している。また、本態様では、画素電極及び対向電極をそれぞれ陽極及び陰極とし、対向電極は第１電源端子ＮＤps１と比較してより低い電位に設定される第２電源端子ＮＤps２に接続している。
【００２６】
出力制御スイッチＳＷａは、駆動制御素子ＤＲの第２端子と第２電源端子ＮＤps２との間で表示素子ＯＬＥＤと直列に接続されている。出力制御スイッチＳＷａは、駆動制御素子ＤＲと表示素子ＯＬＥＤとの間に接続してもよく、或いは、表示素子ＯＬＥＤと電源端子ＮＤps２との間に接続してもよい。この出力制御スイッチＳＷａのスイッチング動作は、走査信号線ドライバＹＤＲから走査信号線ＳＬ１を介して供給される走査信号によって制御される。
【００２７】
出力制御スイッチＳＷａとしては、例えば、１つ又は複数のトランジスタ，特には電界効果トランジスタ，を使用することができる。本態様では、出力制御スイッチＳＷａとしてｐチャネル薄膜トランジスタを使用しており、そのソースは駆動制御素子ＤＲのドレインに接続し、ドレインは表示素子ＯＬＥＤの画素電極に接続し、ゲートは走査信号線ＳＬ１に接続している。
【００２８】
選択用スイッチＳＷｂ及びダイオード接続スイッチＳＷｃは、映像信号線ＤＬと駆動制御素子ＤＲの第２端子と制御端子との接続をそれらが互いに接続された第１状態とそれらが互いから切断された第２状態との間で切り替え可能なスイッチ群を構成している。本態様では、選択用スイッチＳＷｂは駆動制御素子ＤＲの第２端子と映像信号線ＤＬとの間に接続し、ダイオード接続スイッチＳＷｃは駆動制御素子ＤＲの第２端子と制御端子との間に接続している。その代わりに、選択用スイッチＳＷｂを映像信号線ＤＬと駆動制御素子ＤＲの制御端子との間に接続し、且つ、ダイオード接続スイッチＳＷｃを駆動制御素子ＤＲの第２端子と制御端子との間に接続してもよい。或いは、選択用スイッチＳＷｂを駆動制御素子ＤＲの第２端子と映像信号線ＤＬとの間に接続し、且つ、ダイオード接続スイッチＳＷｃを映像信号線ＤＬと駆動制御素子ＤＲの制御端子との間に接続してもよい。
【００２９】
選択用スイッチＳＷｂ及びダイオード接続スイッチＳＷｃのスイッチング動作は、走査信号線ドライバＹＤＲから走査信号線を介して供給される走査信号によって制御する。本態様では、それらのスイッチング動作を、走査信号線ドライバＹＤＲから走査信号線ＳＬ２を介して供給される走査信号によって制御する構成を採用している。その代わりに、選択用スイッチＳＷｂのスイッチング動作とダイオード接続スイッチＳＷｃのスイッチング動作とを別々に制御可能な構成を採用してもよい。すなわち、画素ＰＸの行毎に走査信号線を１本追加し、ダイオード接続スイッチＳＷｃのスイッチング動作を、走査信号線ドライバＹＤＲから走査信号線ＳＬ２を介して供給される走査信号によって制御する代わりに、走査信号線ドライバＹＤＲから追加した走査信号線を介して供給される走査信号によって制御してもよい。
【００３０】
選択用スイッチＳＷｂには、例えば、電界効果トランジスタなどのトランジスタを単独で又は複数を組み合わせて使用することができる。本態様では、選択用スイッチＳＷｂとしてｐチャネル薄膜トランジスタを使用しており、そのソースは駆動制御素子ＤＲのドレインに接続し、ドレインは映像信号線ＤＬに接続し、ゲートは走査信号線ＳＬ２に接続している。
【００３１】
ダイオード接続スイッチＳＷｃには、例えば、電界効果トランジスタなどのトランジスタを単独で又は複数を組み合わせて使用することができる。本態様では、ダイオード接続スイッチＳＷｃとしてｐチャネル薄膜トランジスタを使用しており、そのソースは駆動制御素子ＤＲのゲートに接続し、ドレインは駆動制御素子ＤＲのドレインに接続し、ゲートは走査信号線ＳＬ２に接続している。
【００３２】
キャパシタＣの一方の電極は、駆動制御素子ＤＲの制御端子に接続されている。キャパシタＣは、各書込期間において設定した駆動制御素子ＤＲの制御端子と第１端子との間の電圧を、その書込期間に続く表示期間に亘って保持する。
【００３３】
第１電位シフトスイッチＳＷｅは、第１定電位端子ＮＤcp１とキャパシタＣの他方の電極との間に接続されている。すなわち、第１電位シフトスイッチＳＷｅとキャパシタＣとは、第１定電位端子ＮＤcp１と駆動制御素子ＤＲの制御端子との間でこの順に直列に接続されている。この第１電位シフトスイッチＳＷｅのスイッチング動作は、走査信号線ドライバＹＤＲから走査信号線ＳＬ３を介して供給される走査信号によって制御される。
【００３４】
第１電位シフトスイッチＳＷｅには、例えば、電界効果トランジスタなどのトランジスタを単独で又は複数を組み合わせて使用することができる。本態様では、第１電位シフトスイッチＳＷｅとしてｐチャネル薄膜トランジスタを使用しており、そのソースは第１定電位端子ＮＤcp１に接続し、ドレインはキャパシタＣを介して駆動制御素子ＤＲのゲートに接続し、ゲートは走査信号線ＳＬ３に接続している。また、本態様では、第１定電位端子ＮＤcp１は第１電源端子ＮＤps１に接続している。第１定電位端子ＮＤcp１を第１電源端子ＮＤps１に接続する代わりに、電源線ＰＳＬ及び定電位線ＣＰＬとは別に定電位線を敷設し、この追加の定電位線上のノードを第１定電位端子ＮＤcp１として利用してもよい。
【００３５】
第２電位シフトスイッチＳＷｄは、第２定電位端子ＮＤcp２とキャパシタＣの他方の電極との間に接続されている。すなわち、第２電位シフトスイッチＳＷｄとキャパシタＣとは、第２定電位端子ＮＤcp２と駆動制御素子ＤＲの制御端子との間でこの順に直列に接続されている。
【００３６】
第２電位シフトスイッチＳＷｄのスイッチング動作は、走査信号線ドライバＹＤＲから走査信号線を介して供給される走査信号によって制御される。本態様では、スイッチＳＷｂ乃至ＳＷｄのスイッチング動作を、走査信号線ドライバＹＤＲから走査信号線ＳＬ２を介して供給される走査信号によって制御する構成を採用している。その代わりに、第２電位シフトスイッチＳＷｄのスイッチング動作と選択用スイッチＳＷｂ及び／又はダイオード接続スイッチＳＷｃのスイッチング動作とを別々に制御可能な構成を採用してもよい。すなわち、画素ＰＸの行毎に走査信号線を１本追加し、第２電位シフトスイッチＳＷｄのスイッチング動作を、走査信号線ドライバＹＤＲから走査信号線ＳＬ２を介して供給される走査信号によって制御する代わりに、走査信号線ドライバＹＤＲから追加した走査信号線を介して供給される走査信号によって制御してもよい。
【００３７】
第２電位シフトスイッチＳＷｄには、例えば、電界効果トランジスタなどのトランジスタを単独で又は複数を組み合わせて使用することができる。本態様では、第２電位シフトスイッチＳＷｄとしてｐチャネル薄膜トランジスタを使用しており、そのソースは第２定電位端子ＮＤcp２に接続し、ドレインはキャパシタＣを介して駆動制御素子ＤＲのゲートに接続し、ゲートは走査信号線ＳＬ２に接続している。また、本態様では、第２定電位端子ＮＤcp２は定電位線ＣＰＬ上のノードである。
【００３８】
映像信号線ドライバＸＤＲには、映像信号線ＤＬが接続されている。映像信号線ドライバＸＤＲは、図示しないコントローラに接続されている。コントローラは、映像信号線ドライバＸＤＲに、シリアル信号としてのディジタル映像信号とスタート信号及びクロック信号を含む制御信号とを出力する。映像信号線ドライバＸＤＲは、これら信号に基づいて、各映像信号線に電流信号としてのアナログ映像信号を出力する。
【００３９】
本態様では、映像信号線ドライバＸＤＲには、電源線ＰＳＬがさらに接続されている。コントローラは、映像信号線ドライバＸＤＲに第１及び第２電源電圧を出力する。映像信号線ドライバＸＤＲは、これら第１及び第２電源電圧を電源線ＰＳＬ及び第２電源端子ＮＤps２にそれぞれ出力する。
【００４０】
走査信号線ドライバＹＤＲには、走査信号線ＳＬ１乃至ＳＬ３が接続されている。走査信号線ドライバＹＤＲは、図示しないコントローラに接続されている。コントローラは、走査信号線ドライバＹＤＲに、スタート信号及びクロック信号を含む制御信号を出力する。走査信号線ドライバＹＤＲは、これら信号に基づいて、走査信号線ＳＬ１乃至ＳＬ３に電圧信号としての走査信号を出力する。
【００４１】
本態様では、走査信号線ドライバＹＤＲには、定電位線ＣＰＬがさらに接続されている。コントローラは、走査信号線ドライバＹＤＲに第３電源電圧を出力する。走査信号線ドライバＹＤＲは、この第３電源電圧を定電位線ＣＰＬに出力する。
【００４２】
第１電源端子ＮＤps１、第２電源端子ＮＤps２、第１定電位端子ＮＤcp１、第２定電位端子ＮＤcp２の電位は、以下のように設定する。本態様のように、駆動制御素子ＤＲがその制御端子と第１端子との電位差をより小さくすることにより駆動電流の大きさをより大きくする場合には、第１電源端子ＮＤps１は第２電源端子ＮＤps２と比較してより高電位とし、第１定電位端子ＮＤcp１は第２定電位端子ＮＤcp２と比較してより高電位とする。駆動制御素子ＤＲとしてｎチャネル電界効果トランジスタを使用したときのように、駆動制御素子ＤＲがその制御端子と第１端子との電位差をより大きくすることにより駆動電流の大きさをより大きくする場合には、第１電源端子ＮＤps１は第２電源端子ＮＤps２と比較してより低電位とし、第１定電位端子ＮＤcp１は第２定電位端子ＮＤcp２と比較してより低電位とする。
【００４３】
なお、アレイ基板は、例えば、上述した表示パネルＤＰから活性層及び対向電極を省略した構造に相当する。アレイ基板は、この構造に加え、映像信号線ドライバＸＤＲ及び／又は走査信号線ドライバＹＤＲをさらに含んでいてもよい。
【００４４】
この表示装置は、例えば、以下の方法により駆動する。  
図３は、図１に示す表示装置の駆動方法の一例を概略的に示すタイミングチャートである。図中、横軸は時間を示し、縦軸は電位を示している。
【００４５】
図３において、「ＸＤＲ出力」のうち、「Ｉsig（ｍ）」と表記した期間は映像信号線ドライバＸＤＲが映像信号線ＤＬに映像信号Ｉsig（ｍ）を出力する期間を示している。また、図３において、「ＳＬ１電位」乃至「ＳＬ３電位」で示す波形は、走査信号線ＳＬ１乃至ＳＬ３の電位をそれぞれ示している。
【００４６】
図３の方法では、画素ＰＸを行毎に順次選択する。そして、選択した行が含む画素ＰＸでは書込動作を実施し、非選択の行が含む画素ＰＸでは表示動作を実施する。
【００４７】
例えば、ｍ行目の画素ＰＸで或る階調を表示する場合、ｍ行目の画素ＰＸを選択する期間，すなわち、ｍ行目選択期間，では、走査信号線ドライバＹＤＲから、走査信号線ＳＬ１に、ｍ行目の画素ＰＸが含むスイッチＳＷａを開く走査信号を出力する。そして、スイッチＳＷａを開いている期間内に、以下の書込動作を行う。
【００４８】
まず、走査信号線ドライバＹＤＲから、ｍ行目の画素ＰＸが接続された走査信号線ＳＬ３に、スイッチＳＷｅを開く走査信号を出力する。次いで、走査信号線ドライバＹＤＲから、ｍ行目の画素ＰＸが接続された走査信号線ＳＬ２に、スイッチＳＷｂ乃至ＳＷｄを閉じる走査信号を出力する。この状態で、映像信号線ドライバＸＤＲから、映像信号線ＤＬに、ｍ行目の画素ＰＸに書き込むべき映像信号を出力する。すなわち、ｍ行目の画素ＰＸにおいて、ノードＮＤsftの電位を定電位端子ＮＤcp２の電位と等しくし且つ駆動制御素子ＤＲのゲート及びドレインを映像信号線ＤＬに接続した状態で、駆動制御素子ＤＲに書込電流Ｉsig（ｍ）を流す。これにより、駆動制御素子ＤＲのゲート電位Ｖgは、駆動制御素子ＤＲが書込電流Ｉsig（ｍ）を流すときのゲート−ソース間電圧Ｖgs（０）と第１電源端子ＮＤps１の電位Ｖps１との和Ｖgs（０）＋Ｖps１と等しくなる。
【００４９】
一定時間経過後、走査信号線ドライバＹＤＲから、ｍ行目の画素ＰＸが接続された走査信号線ＳＬ２に、スイッチＳＷｂ乃至ＳＷｄを開く走査信号を出力する。なお、スイッチＳＷｂ乃至ＳＷｄのスイッチング動作を別々に制御可能である場合には、スイッチＳＷｃを開いた後にスイッチＳＷｂ及びＳＷｄを開いてもよい。
【００５０】
その後、走査信号線ドライバＹＤＲから、ｍ行目の画素ＰＸが接続された走査信号線ＳＬ３に、スイッチＳＷｅを閉じる走査信号を出力する。これにより、駆動制御素子ＤＲのゲート電位Ｖgは、電位Ｖgs（０）＋Ｖps１から、定電位端子ＮＤcp１の電位Ｖcp１と定電位端子ＮＤcp２の電位Ｖcp２との差Ｖcp１−Ｖcp２だけシフトする。本態様では、電位Ｖcp１は電位Ｖps１と等しいので、ゲート電位Ｖgは電位Ｖgs（０）＋２×Ｖps１−Ｖcp２と等しくなる。
【００５１】
以上により、ｍ行目の画素ＰＸでの書込動作を終了する。なお、ｍ行目の画素ＰＸの選択期間は、この画素ＰＸで書込動作を行っている期間であり、ｍ行目の画素ＰＸの非選択期間は、この画素ＰＸで書込動作を行っていない期間である。
【００５２】
この書込動作を終了した後、ｍ行目の画素ＰＸでは表示動作を開始する。すなわち、走査信号線ドライバＹＤＲから、ｍ行目の画素ＰＸが接続された走査信号線ＳＬ１に、スイッチＳＷａを閉じる走査信号を出力する。スイッチＳＷａを閉じている間、スイッチＳＷｂ乃至ＳＷｄは開いたままとし、スイッチＳＷｅは閉じたままとしておく。
【００５３】
スイッチＳＷａを閉じている間、発光素子ＯＬＥＤには、駆動制御素子ＤＲのゲート電位Ｖg（＝Ｖgs（０）＋２×Ｖps１−Ｖcp２）と第１定電位端子ＮＤcp１の電位Ｖcp１（＝Ｖps１）の差Ｖgs（０）＋Ｖps１−Ｖcp２に対応した大きさの駆動電流Ｉdrv（ｍ）が流れる。例えば、電位Ｖps１が６Ｖ、電位Ｖcp２が５Ｖ、電圧Ｖgs（０）が４．５Ｖである場合、５．５Ｖのゲート−ソース間電圧に対応した大きさの駆動電流Ｉdrv（ｍ）が流れる。発光素子ＯＬＥＤは、この駆動電流Ｉdrv（ｍ）の大きさに対応した輝度で発光する。
【００５４】
選択期間においてスイッチＳＷｄを開いたままとし且つスイッチＳＷｅを閉じたままとした場合、書込動作により、駆動制御素子ＤＲのゲート−ソース間電圧Ｖgsは電圧Ｖgs（０）に設定される。これに対し、図３を参照しながら説明した駆動方法では、スイッチＳＷｄ及びＳＷｅを用いた電位のシフトを行うので、書込動作により、駆動制御素子ＤＲのゲート−ソース間電圧Ｖgsは電圧Ｖgs（０）＋Ｖps１−Ｖcp２に設定される。それゆえ、電位Ｖps１が電位Ｖcp２と比較してより高ければ、図３を参照しながら説明した方法によると、電位のシフトを行わない場合と比較して、ｍ行目の画素ＰＸで低階調を表示するための書込電流Ｉsig（ｍ）をより大きくすることができる。したがって、本態様によると、低階調画像を表示した場合に表示ムラが発生するのを防止することができる。
【００５５】
また、本態様では、定電位線ＣＰＬを敷設すると共に、各画素ＰＸ内にスイッチＳＷｄ及びＳＷｅを配置している。このような構造によると、以下に説明するように、映像信号線ＤＬの電位変動などに起因したクロストークを生じ難い。
【００５６】
図４は、比較例に係る表示装置を概略的に示す平面図である。図５は、図４の表示装置が含む画素の等価回路図である。
【００５７】
図４の表示装置は、以下の構成を除き、図１の表示装置と同様である。すなわち、図４の表示装置は、定電位線ＣＰＬを含んでいない。また、この表示装置の画素ＰＸは、図５に示すように、スイッチＳＷｄ及びＳＷｅを含んでおらず、キャパシタＣは駆動制御素子ＤＲのゲートと走査信号線ＳＬ３との間に接続している。
【００５８】
図６は、図４に示す表示装置の駆動方法の一例を概略的に示すタイミングチャートである。図中、横軸は時間を示し、縦軸は電位を示している。
【００５９】
図６において、「ＸＤＲ出力」のうち、「Ｉsig（ｍ）」と表記した期間は映像信号線ドライバＸＤＲが映像信号線ＤＬに映像信号Ｉsig（ｍ）を出力する期間を示している。また、図６において、「ＳＬ１電位」乃至「ＳＬ３電位」で示す波形は、走査信号線ＳＬ１乃至ＳＬ３の電位をそれぞれ示している。
【００６０】
図６の方法では、画素ＰＸを行毎に順次選択する。そして、選択した行が含む画素ＰＸでは書込動作を実施し、非選択の行が含む画素ＰＸでは表示動作を実施する。
【００６１】
例えば、ｍ行目の画素ＰＸで或る階調を表示する場合、ｍ行目の画素ＰＸを選択する期間，すなわち、ｍ行目選択期間，では、走査信号線ドライバＹＤＲから、走査信号線ＳＬ１に、ｍ行目の画素ＰＸが含むスイッチＳＷａを開く走査信号を出力する。そして、スイッチＳＷａを開いている期間内に、以下の書込動作を行う。
【００６２】
まず、走査信号線ドライバＹＤＲから、走査信号線ＳＬ３に、その電位を第１電位Ｖ１に設定する走査信号を出力する。次に、走査信号線ドライバＹＤＲから、ｍ行目の画素ＰＸが接続された走査信号線ＳＬ２に、スイッチＳＷｂ及びＳＷｃを閉じる走査信号を出力する。この状態で、映像信号線ドライバＸＤＲから、映像信号線ＤＬに、ｍ行目の画素ＰＸに書き込むべき映像信号を出力する。すなわち、ｍ行目の画素ＰＸにおいて、ノードＮＤsftの電位を電位Ｖ１に設定し且つ駆動制御素子ＤＲのゲート及びドレインを映像信号線ＤＬに接続した状態で、駆動制御素子ＤＲに書込電流Ｉsig（ｍ）を流す。これにより、駆動制御素子ＤＲのゲート電位Ｖgは、駆動制御素子ＤＲが書込電流Ｉsig（ｍ）を流すときのゲート−ソース間電圧Ｖgs（０）と第１電源端子ＮＤps１の電位Ｖps１との和Ｖgs（０）＋Ｖps１と等しくなる。
【００６３】
一定時間経過後、走査信号線ドライバＹＤＲから、ｍ行目の画素ＰＸが接続された走査信号線ＳＬ２に、スイッチＳＷｂ及びＳＷｃを開く走査信号を出力する。
【００６４】
その後、走査信号線ドライバＹＤＲから、ｍ行目の画素ＰＸが接続された走査信号線ＳＬ３に、その電位を第２電位Ｖ２に設定する走査信号を出力する。これにより、駆動制御素子ＤＲのゲート電位Ｖgは、電位Ｖgs（０）＋Ｖps１から、電位Ｖ２と電位Ｖ１との差Ｖ２−Ｖ１だけシフトする。すなわち、ゲート電位Ｖgは電位Ｖgs（０）＋Ｖps１＋Ｖ２−Ｖ１と等しくなる。以上により、ｍ行目の画素ＰＸでの書込動作を終了する。
【００６５】
この書込動作を終了した後、ｍ行目の画素ＰＸでは表示動作を開始する。すなわち、走査信号線ドライバＹＤＲから、ｍ行目の画素ＰＸが接続された走査信号線ＳＬ１に、スイッチＳＷａを閉じる走査信号を出力する。スイッチＳＷａを閉じている間、スイッチＳＷｂ及びＳＷｃは開いたままとし、スイッチＳＷｅは閉じたままとしておく。
【００６６】
スイッチＳＷａを閉じている間、発光素子ＯＬＥＤには、駆動制御素子ＤＲのゲート電位Ｖg（＝Ｖgs（０）＋Ｖps１＋Ｖ２−Ｖ１）と第１定電位端子ＮＤcp１の電位Ｖcp１（＝Ｖps１）の差Ｖgs（０）＋Ｖ２−Ｖ１に対応した大きさの駆動電流Ｉdrv（ｍ）が流れる。発光素子ＯＬＥＤは、この駆動電流Ｉdrv（ｍ）の大きさに対応した輝度で発光する。
【００６７】
以上の説明から明らかなように、図６を参照しながら説明した方法でも、電位Ｖ２が電位Ｖ１と比較してより高ければ、電位のシフトを行わない場合と比較して、ｍ行目の画素ＰＸで低階調を表示するための書込電流Ｉsig（ｍ）をより大きくすることができる。しかしながら、この方法では、駆動制御素子ＤＲのゲートは、選択期間だけでなく非選択期間においても、キャパシタＣを介して走査信号線ＳＬ３に接続される。非選択期間において、走査信号線ＳＬ３の電位が例えば映像信号線ＤＬとの容量結合の影響で変動した場合などには、駆動制御素子ＤＲのゲート電位も変動する可能性がある。その結果、このゲート電位の変動に伴って、駆動電流Ｉdrv（ｍ）の大きさも変動し、表示素子ＯＬＥＤの輝度も変動する。
【００６８】
これに対し、本態様では、定電位線ＣＰＬを敷設すると共に画素ＰＸ内にスイッチＳＷｄ及びＳＷｅを配置することにより、キャパシタＣを走査信号線と接続することなく、駆動制御素子ＤＲのゲート電位のシフトを可能としている。したがって、本態様によると、走査信号線の映像信号線ＤＬとの容量結合に起因して表示素子ＯＬＥＤの輝度が変動することはない。すなわち、本態様によると、映像信号線ＤＬの電位変動などに起因したクロストークを生じ難い。
【００６９】
以上説明した表示装置には、様々な変形が可能である。  
図７は、一変形例に係る表示装置を概略的に示す平面図である。図８は、図７の表示装置が含む画素の等価回路図である。
【００７０】
この表示装置は、以下の構成を除き、図１及び図２を参照しながら説明した表示装置とほぼ同様である。すなわち、この表示装置では、定電位線ＣＰＬは、画素ＰＸが形成する行毎には敷設されておらず、画素ＰＸが形成する行の２つにつき１本の割合で敷設されている。そして、隣り合う１対の行で１本の定電位線ＣＰＬを共用している。このような構造を採用すると、図１及び図２を参照しながら説明した構造と比較して、配線数を低減することができる。
【００７１】
なお、図７及び図８には、隣り合う１対の行で１本の定電位線ＣＰＬを共用する例を示したが、隣り合う１対の列で１本の定電位線ＣＰＬを共用する構造を採用することもできる。すなわち、Ｙ方向に延びた定電位線ＣＰＬを画素ＰＸが形成する列の２つにつき１本の割合で敷設し、隣り合う１対の列で１本の定電位線ＣＰＬを共用させればよい。
【図面の簡単な説明】
【００７２】
【図１】本発明の一態様に係る表示装置を概略的に示す平面図。
【図２】図１の表示装置が含む画素の等価回路図。
【図３】図１に示す表示装置の駆動方法の一例を概略的に示すタイミングチャート。
【図４】比較例に係る表示装置を概略的に示す平面図。
【図５】図４の表示装置が含む画素の等価回路図。
【図６】図４に示す表示装置の駆動方法の一例を概略的に示すタイミングチャート。
【図７】一変形例に係る表示装置を概略的に示す平面図。
【図８】図７の表示装置が含む画素の等価回路図。
【符号の説明】
【００７３】
Ｃ…キャパシタ、ＣＰＬ…定電位線、ＤＬ…映像信号線、ＤＰ…表示パネル、ＤＲ…駆動制御素子、ＮＤcp１…定電位端子、ＮＤcp２…定電位端子、ＮＤps１…電源端子、ＮＤps２…電源端子、ＮＤsft…ノード、ＯＬＥＤ…発光素子、ＰＳＬ…電源線、ＰＸ…画素、ＳＬ１…走査信号線、ＳＬ２…走査信号線、ＳＬ３…走査信号線、ＳＵＢ…絶縁基板、ＳＷａ…出力制御スイッチ、ＳＷｂ…選択用スイッチ、ＳＷｃ…ダイオード接続スイッチ、ＳＷｄ…電位シフトスイッチ、ＳＷｅ…電位シフトスイッチ、ＸＤＲ…映像信号線ドライバ、ＹＤＲ…走査信号線ドライバ。
【図１】
2007233287.tif 000003
【図２】
2007233287.tif 000004
【図３】
2007233287.tif 000005
【図４】
2007233287.tif 000006
【図５】
2007233287.tif 000007
【図６】
2007233287.tif 000008
【図７】
2007233287.tif 000009
【図８】
2007233287.tif 000010